【手続補正書】
【提出日】平成28年1月20日(2016.1.20)
【手続補正１】
【補正対象書類名】特許請求の範囲
【補正対象項目名】全文
【補正方法】変更
【補正の内容】
【特許請求の範囲】
【請求項１】
加圧室と、
前記加圧室内の燃料を吐出通路に圧送するプランジャと、
前記加圧室の吸入通路に設けられた吸入弁と、
前記吸入弁と別体に構成され、前記吸入弁を開弁方向に付勢する係合部材と、を備え、
前記吸入弁により開閉される吸入開口よりも前記吸入弁の全体が前記加圧室の側に配置された高圧燃料供給ポンプ。
【請求項２】
請求項１において、
前記吸入弁を閉弁方向に付勢する第１のばねと、
前記係合部材を開弁方向に付勢する第２のばねと、を備え、
前記第２のばねの付勢力は前記第１のばねの付勢力よりも大きく設定された高圧燃料供給ポンプ。
【請求項３】
請求項１において、
前記吸入弁のストロークに対して、前記係合部材のストロークの方が長くなるように構成された高圧燃料供給ポンプ。
【請求項４】
請求項２において、
前記係合部材は前記第１のばねに抗して前記吸入弁を閉弁位置から開弁位置に移動させる高圧燃料供給ポンプ。
【請求項５】
請求項２において、
前記吸入弁は、前記第１のばねの外周に被せられるように構成された高圧燃料供給ポンプ。
【請求項６】
請求項２において、
前記吸入弁は、前記第１のばねと反対側の面により前記吸入開口の外周側のシート面をシートする高圧燃料供給ポンプ。
【請求項７】
請求項２又は３において、
外部入力により閉弁方向の付勢力を前記係合部材に作用させるアクチュエータを備え、
前記アクチュエータの付勢力により前記係合部材が閉弁位置に移動したとき、前記係合部材は前記吸入弁から離れるように構成された高圧燃料供給ポンプ。
【請求項８】
請求項２又は３において、
外部入力により閉弁方向の付勢力を前記係合部材に作用させるアクチュエータを備え、
前記アクチュエータの付勢力により前記係合部材が閉弁位置に移動したとき、前記係合部材は前記吸入弁から離れるように構成された高圧燃料供給ポンプ。
【請求項９】
請求項１において、
前記加圧室の容積を変化させるプランジャと、
通電されることにより閉弁方向の付勢力を前記係合部材に作用させるアクチュエータと、を備え、
前記プランジャが前記加圧室の容積を小さくする動作を行う際に、前記アクチュエータは通電ＯＦＦの状態となっていることで、前記加圧室の燃料を前記吸入弁を通って燃料吸入側へ戻すように構成された高圧燃料供給ポンプ。
【請求項１０】
請求項１において、
前記吸入弁が一端に平らなシート面を持つ筒状の弁で構成された高圧燃料供給ポンプ。
【請求項１１】
請求項７〜９の何れかにおいて、
前記アクチュエータは電磁力により閉弁方向の付勢力を前記係合部材に作用させる高圧燃料供給ポンプ。
【請求項１２】
請求項１において、
前記吸入弁が、ロックウェル硬度ＨＲＣ３０以上の材料で形成された高圧燃料供給ポンプ。
【請求項１３】
請求項１において、
前記吸入弁が、ＪＩＳ規格のステレンス鋼ＳＵＳ４４０Ｃで形成された高圧燃料供給ポンプ。
【請求項１４】
請求項１において、
前記係合部材が、磁性材で形成された高圧燃料供給ポンプ。
【請求項１５】
請求項１４において、
前記係合部材部が、ＪＩＳ規格の磁性ステレンス鋼ＳＵＳ４２０Ｊ２で形成された高圧燃料供給ポンプ。
【請求項１６】
請求項１３において、
前記吸入弁により開閉される吸入開口が形成された部材がＪＩＳ規格のステンレス鋼ＳＵＳ４４０Ｃで形成された高圧燃料供給ポンプ。
【請求項１７】
加圧室に通じる燃料通路に設けられた吸入弁と、
前記弁部材に前記燃料通路を閉じもしくは開く力を付与するばねと、
前記ばねの作用力の軸線に沿った方向において前記吸入弁を押しもしくは引いて前記吸入弁を開き位置もしくは閉じ位置に変化させる弁操作部材と、
前記弁操作部材と前記吸入弁とを分離した状態と係合した状態に操作して、前記弁操作部材を介して前記吸入弁を開き位置もしくは閉じ位置に操作する電磁駆動機構と、を備え、
前記吸入弁により開閉される吸入開口よりも前記吸入弁の全体が前記加圧室の側に配置された高圧燃料供給ポンプ。
【請求項１８】
請求項１７において、
前記弁操作部材は前記吸入弁を閉じ位置から開き位置に移動させる高圧燃料供給ポンプ。
【請求項１９】
ポンプボディに形成された加圧室の燃料入口部に設けた吸入チェック弁と、前記吸入チェック弁に当接して開き位置に操作するプランジャロッドと、前記プランジャロッドを飛出し位置に付勢するばねと、前記プランジャロッドを引き込み位置に操作する電磁ソレノイドと、を有する前記電磁駆動機構を備え、
前記吸入弁により開閉される吸入開口よりも前記吸入弁の全体が前記加圧室の側に配置され、
前記電磁駆動機構は、
前記プランジャロッドを前記吸入チェック弁から引離して当該プランジャロッドを当該吸入チェック弁に対して非接触位置に移動させ、
前記プランジャロッドが前記飛出し位置にあるとき前記チェック弁に当接して当該チェ
ック弁を開位置に操作し、前記引き込み位置にあるとき前記チェック弁から離れて当該チ
ェック弁を閉じ位置に操作する高圧燃料供給ポンプ。
【請求項２０】
請求項１９において、
前記プランジャロッドは前記吸入弁を閉じ位置から開き位置に移動させる高圧燃料供給ポンプ。
【手続補正２】
【補正対象書類名】明細書
【補正対象項目名】発明の名称
【補正方法】変更
【補正の内容】
【発明の名称】高圧燃料供給ポンプ
【手続補正３】
【補正対象書類名】明細書
【補正対象項目名】０００８
【補正方法】変更
【補正の内容】
【０００８】
本発明の目的は、加圧室と、前記加圧室内の燃料を吐出通路に圧送するプランジャと、  前記加圧室の吸入通路に設けられた吸入弁と、前記吸入弁と別体に構成され、前記吸入弁を開弁方向に付勢する係合部材と、を備え、前記吸入弁により開閉される吸入開口よりも前記吸入弁の全体が前記加圧室の側に配置されたことによって達成される。また前記吸入弁を閉弁方向に付勢する第１のばねと、前記係合部材を開弁方向に付勢する第２のばねと、を備え、前記第２のばねの付勢力は前記第１のばねの付勢力よりも大きく設定されたことが望ましい。
【手続補正４】
【補正対象書類名】明細書
【補正対象項目名】０００９
【補正方法】変更
【補正の内容】
【０００９】
このように構成した本発明では電磁駆動機構に対して弁体の質量が負荷とならないので
吐出容量制御機構の応答性が改善される。  
また前記吸入弁のストロークに対して、前記係合部材のストロークの方が長くなるように構成されたことが望ましい。また前記係合部材は前記第１のばねに抗して前記吸入弁を閉弁位置から開弁位置に移動させることが望ましい。また前記吸入弁は、前記第１のばねの外周に被せられるように構成されたことが望ましい。また前記吸入弁は、前記第１のばねと反対側の面により前記吸入開口の外周側のシート面をシートすることが望ましい。
【手続補正５】
【補正対象書類名】明細書
【補正対象項目名】００１０
【補正方法】変更
【補正の内容】
【００１０】
また外部入力により閉弁方向の付勢力を前記係合部材に作用させるアクチュエータを備え、前記アクチュエータの付勢力により前記係合部材が閉弁位置に移動したとき、前記係合部材は前記吸入弁から離れるように構成されたことが望ましい。また外部入力により閉弁方向の付勢力を前記係合部材に作用させるアクチュエータを備え、前記アクチュエータの付勢力により前記係合部材が閉弁位置に移動したとき、前記係合部材は前記吸入弁から離れるように構成されたことが望ましい。前記加圧室の容積を変化させるプランジャと、 通電されることにより閉弁方向の付勢力を前記係合部材に作用させるアクチュエータと、を備え、前記プランジャが前記加圧室の容積を小さくする動作を行う際に、前記アクチュエータは通電ＯＦＦの状態となっていることで、前記加圧室の燃料を前記吸入弁を通って燃料吸入側へ戻すように構成されたことが望ましい。